(57)【要約】【課題】この発明は、施設毎に異なる種々の再生条件に自動的に対応して情報再生を行なうことが可能であり、ユーザにとっての使い勝手をより一層向上させることを可能とした情報再生装置及びその制御方法を提供することを目的としている。【解決手段】入力された情報から映像信号と音声信号とを復元し、映像信号を表示手段１３に表示し、音声信号をスピーカ１５で再生する情報再生装置であって、放送信号から抽出した制限情報が、映像表示を制限する内容である場合、表示手段１３による映像表示に該制限情報に基づいた再生制限を与え、抽出された制限情報が音声再生を制限する内容である場合、スピーカ１５による音声再生に該制限情報に基づいた再生制限を与える。【選択図】    図２
2006019982.tif 000002
【特許請求の範囲】
【請求項１】
放送信号を受信する受信手段と、
前記受信手段で受信された信号から制限情報を抽出する抽出手段と、
入力された情報から映像信号と音声信号とを復元する処理手段と、
前記処理手段で復元された映像信号を表示する表示手段と、
前記処理手段で復元された音声信号を再生するスピーカと、
前記抽出手段で抽出された制限情報が映像表示を制限する内容である場合、前記表示手段による映像信号の表示に該制限情報に基づいた再生制限を与え、前記抽出手段で抽出された制限情報が前記スピーカによる音声再生を制限する内容である場合、前記スピーカによる音声再生に該制限情報に基づいた再生制限を与える制御手段とを具備することを特徴とする情報再生装置。
【請求項２】
前記制御手段が前記スピーカによる音声再生に再生制限を与えている場合でも、前記処理手段で復元された音声信号を外部に出力可能とする接続端子を具備することを特徴とする請求項１記載の情報再生装置。
【請求項３】
前記制御手段は、前記抽出手段で抽出された制限情報が映像表示を禁止する内容である場合、前記表示手段による映像信号の表示を停止させるように制御し、前記抽出手段で抽出された制限情報が音声再生を禁止する内容である場合、前記スピーカによる音声再生を停止させるように制御することを特徴とする請求項１記載の情報再生装置。
【請求項４】
前記制御手段は、前記抽出手段で抽出された制限情報が、映像表示と前記スピーカによる音声再生とを共に禁止する内容である場合、前記制限情報によって映像表示と音声再生とが停止されているメッセージを前記表示部に表示させることを特徴とする請求項１記載の情報再生装置。
【請求項５】
前記制御手段は、前記抽出手段で抽出された制限情報が前記スピーカによる音声再生の音量を制限する内容である場合、前記スピーカによる音声再生の音量を該制限情報に設定された音量の範囲内に収めるように制御することを特徴とする請求項１記載の情報再生装置。
【請求項６】
前記制御手段は、前記抽出手段で抽出された制限情報の内容に対応したメッセージを、前記表示部に表示することを特徴とする請求項１記載の情報再生装置。
【請求項７】
前記制御手段は、前記受信手段が施設から送信される信号を受信不能になったとき、前記再生制限を解除することを特徴とする請求項１記載の情報再生装置。
【請求項８】
前記放送信号を送信する施設に対する出入りを判別する判別手段を備え、
前記制御手段は、前記判別手段により施設への入状態が判別されたとき再生制限を開始し、前記判別手段により施設からの出状態が判別されたとき再生制限を解除することを特徴とする請求項１記載の情報再生装置。
【請求項９】
前記制御手段は、再生制限が開始されてから予め設定された一定時間が経過したとき、再生制限を解除することを特徴とする請求項８記載の情報再生装置。
【請求項１０】
入力された情報から映像信号と音声信号とを復元する処理手段と、前記処理手段で復元された映像信号を表示する表示手段と、前記処理手段で復元された音声信号を再生するスピーカとを備えた情報再生装置を制御する方法であって、
放送信号を受信する第１の工程と、
受信された放送信号から制限情報を抽出する第２の工程と、
抽出された制限情報が映像表示を制限する内容である場合、前記表示手段による映像信号の表示に該制限情報に基づいた再生制限を与え、抽出された制限情報が前記スピーカによる音声再生を制限する内容である場合、前記スピーカによる音声再生に該制限情報に基づいた再生制限を与える第３の工程とを具備することを特徴とする情報再生装置の制御方法。
【請求項１１】
前記情報再生装置は、前記放送信号を送信する施設に対する出入りを判別する判別手段を備え、
前記第３の工程は、前記判別手段により施設への入状態が判別されたとき再生制限を開始し、前記判別手段により施設からの出状態が判別されたとき再生制限を解除することを特徴とする請求項１０記載の情報再生装置の制御方法。
【請求項１２】
前記第３の工程は、再生制限が開始されてから予め設定された一定時間が経過したとき、再生制限を解除することを特徴とする請求項１０記載の情報再生装置の制御方法。
【発明の詳細な説明】
【技術分野】
【０００１】
この発明は、例えば携帯型の放送受信端末等に適用可能な情報再生装置及びその制御方法に係り、特に建物や鉄道等の施設内で使用する場合の改良に関する。
【背景技術】
【０００２】
周知のように、近年では、携帯電話の多機能化及び高性能化が促進されるとともに、例えばＭＤ（Mini Disk）やメモリカード等のように、小型軽量で大容量の記録メディアが開発されており、これに伴なって、記録メディアに記録された情報を再生する携帯型の情報再生端末が普及している。
【０００３】
また、現在、衛星デジタル放送や地上波デジタル放送に加え、衛星を用いて、携帯型の放送受信端末のような移動体を主なサービス対象とするモバイル放送が計画されている。なお、地上波デジタル放送においても、移動体を主なサービス対象とした低データレート放送（１セグメント放送）が計画されている。
【０００４】
ところで、上記した携帯電話、情報再生端末及び放送受信端末等に代表される携帯型の情報再生装置においては、例えば公共的な建物や鉄道等のような特定の施設内に持ち込んで使用可能であることから、その施設内での使用に相応しいように音量等を制限する必要が生じる。
【０００５】
しかしながら、例えば音量を制限する場合でも、ユーザによって設定する音量は様々になり、統一的な制限が行なわれていないのが現状である。また、現状では、各施設毎に、何をどの程度制限すれば良いのかが明確に示されていないことが多く、ほとんどの場合、ユーザが自己の判断基準で自主的に制限を行なっているだけである。
【０００６】
特許文献１には、再生機器、日時または期間、地域等の条件によって、コンテンツに対する再生の可否や再生制限を行なう再生装置が開示されている。ところが、この特許文献１では、記録媒体に記録されている条件情報に基づいて再生の可否や再生制限を行なう構成であるから、施設毎に異なる条件には対応し難いものとなっている。
【特許文献１】特開２００２−１２３８０１号公報
【発明の開示】
【発明が解決しようとする課題】
【０００７】
そこで、この発明は上記事情を考慮してなされたもので、施設毎に異なる種々の再生条件に自動的に対応して情報再生を行なうことが可能であり、ユーザにとっての使い勝手をより一層向上させることを可能とした情報再生装置及びその制御方法を提供することを目的とする。
【課題を解決するための手段】
【０００８】
この発明に係る情報再生装置は、放送信号を受信する受信手段と、受信手段で受信された信号から制限情報を抽出する抽出手段と、入力された情報から映像信号と音声信号とを復元する処理手段と、処理手段で復元された映像信号を表示する表示手段と、処理手段で復元された音声信号を再生するスピーカと、抽出手段で抽出された制限情報が映像表示を制限する内容である場合、表示手段による映像信号の表示に該制限情報に基づいた再生制限を与え、抽出手段で抽出された制限情報がスピーカによる音声再生を制限する内容である場合、スピーカによる音声再生に該制限情報に基づいた再生制限を与える制御手段とを備えるようにしたものである。
【０００９】
また、この発明に係る情報再生装置の制御方法は、入力された情報から映像信号と音声信号とを復元する処理手段と、処理手段で復元された映像信号を表示する表示手段と、処理手段で復元された音声信号を再生するスピーカとを備えた情報再生装置を制御する方法であって、放送信号を受信する第１の工程と、受信された放送信号から制限情報を抽出する第２の工程と、抽出された制限情報が映像表示を制限する内容である場合、表示手段による映像信号の表示に該制限情報に基づいた再生制限を与え、抽出された制限情報がスピーカによる音声再生を制限する内容である場合、スピーカによる音声再生に該制限情報に基づいた再生制限を与える第３の工程とを備えるようにしたものである。
【発明の効果】
【００１０】
上記した発明によれば、放送される制限情報を受信して、映像や音声の再生を自動的に制限するようにしたので、施設毎に異なる種々の再生条件に自動的に対応して情報再生を行なうことが可能となり、ユーザにとっての使い勝手をより一層向上させることが可能となる。
【発明を実施するための最良の形態】
【００１１】
以下、この発明の実施の形態について図面を参照して詳細に説明する。図１は、この実施の形態で説明する情報再生装置としての放送受信装置１１の外観を示している。この放送受信装置１１は、携帯可能な薄型箱状の筐体１２を有している。
【００１２】
そして、この放送受信装置１１の筐体１２には、その一方の平面部１２ａに表示部１３と操作部１４とが設置され、一側面１２ｂにスピーカ１５と、ヘッドホン等を接続するための音声出力用のコネクタ１６とが設置されている。
【００１３】
図２は、上記放送受信装置１１の信号処理系を示している。すなわち、筐体１２に内蔵されたアンテナ１７によって受信された放送信号は、チューナ部１８に供給されて所定のチャンネルの信号が選局される。
【００１４】
そして、このチューナ部１８で選局された放送信号は、映像音声処理部１９に供給されて復調処理が施されることにより、映像信号及び音声信号に復元される。このうち、映像信号は、表示制御部２０に供給されて上記表示部１３で表示可能なフォーマットに変換された後、表示部１３に供給されて映像表示される。
【００１５】
また、映像音声処理部１９で復元された音声信号は、増幅部２１に供給されて増幅された後、上記スピーカ１５に供給されて音声再生に供される。また、映像音声処理部１９で復元された音声信号は、上記コネクタ１６に供給されて外部出力に供される。
【００１６】
ここで、この放送受信装置１１は、上記した受信動作を含むその全ての動作を制御部２２によって統括的に制御されている。この制御部２２は、ＣＰＵ（Central Processing Unit）等を内蔵しており、前記操作部１４からの操作情報を受け、その操作内容が反映されるように各部をそれぞれ制御している。
【００１７】
この場合、制御部２２は、メモリ部２３を利用している。すなわち、このメモリ部２３は、主として、制御部２２のＣＰＵが実行する制御プログラムを格納した読み出し専用メモリと、該ＣＰＵに作業エリアを提供する読み出し書き込みメモリと、各種の設定情報及び制御情報等が格納される不揮発性メモリとを含んでいる。
【００１８】
また、この放送受信装置１１には、例えば建物、鉄道、道路等を含む種々の施設から、その施設に関連した情報を含んで放送される放送信号を受信するためのアンテナ２４が内蔵されている。
【００１９】
このアンテナ２４で受信された放送信号は、受信部２５に供給されて復調された後、制限情報抽出部２６に出力される。この制限情報抽出部２６は、入力された信号から再生制限を指示する制限情報を抽出して、制御部２２に出力している。これにより、制御部２２は、施設が送信した制限情報に対応するように各部を制御することができ、ここに、施設毎に異なる再生制限が実現される。
【００２０】
図３及び図４は、上記放送受信装置１１が施設から放送された放送信号に基づいて再生制限を行なう動作の一例をまとめたフローチャートを示している。すなわち、処理が開始（ステップＳ１）され、ステップＳ２で、施設からの放送信号が受信されると、制御部２２は、ステップＳ３で、制限情報抽出部２６から制限情報が得られたか否かを判別する。
【００２１】
そして、制限情報が得られないと判断された場合（ＮＯ）、制御部２２は、ステップＳ４で、前記操作部１４により音量調整操作が行なわれたか否かを判別し、行なわれていないと判断された場合（ＮＯ）、処理を終了（ステップＳ６）する。
【００２２】
また、上記ステップＳ４で音量調整操作が行なわれたと判断された場合（ＹＥＳ）、制御部２２は、ステップＳ５で、その音量調整操作に対応して前記増幅部２１の利得を制御した後、処理を終了（ステップＳ６）する。
【００２３】
一方、上記ステップＳ３で制限情報が得られたと判断された場合（ＹＥＳ）、制御部２２は、ステップＳ７で、制限情報に基づいて映像表示が許可されているか否かを判別する。そして、制御部２２は、許可されていると判断された場合（ＹＥＳ）、ステップＳ８で、表示部１３による映像表示を可能とするように表示制御部２０を制御し、許可されていないと判断された場合（ＮＯ）、ステップＳ９で、表示部１３に映像信号を表示させないように表示制御部２０を制御して、表示部１３による映像表示を停止する。
【００２４】
上記ステップＳ８またはＳ９の後、制御部２２は、ステップＳ１０で、制限情報に基づいてスピーカ１５による音声再生が許可されているか否かを判別する。そして、制御部２２は、許可されていると判断された場合（ＹＥＳ）、ステップＳ１１で、スピーカ１５による音声再生を可能とするように増幅部２１を制御する。
【００２５】
また、許可されていないと判断された場合（ＮＯ）、制御部２２は、ステップＳ１２で、スピーカ１５に音声再生を行なわせないように増幅部２１を制御して、スピーカ１５による音声再生を停止した後、処理を終了（ステップＳ６）する。この場合、コネクタ１６からは音声信号が出力されているので、ヘッドホンによる音声再生は可能となる。
【００２６】
さらに、上記ステップＳ１１の後、制御部２２は、ステップＳ１３で、音量が制限されているか否かを判別する。そして、制御部２２は、音量が制限されていると判断された場合（ＹＥＳ）、ステップＳ１４で、音量を制限された範囲内に抑えるように増幅部２１を制御して、処理を終了（ステップＳ６）する。
【００２７】
具体的には、操作部１４により音量調整操作を行なっても、制限された範囲内の音量に抑えられるように増幅部２１を制御している。これにより、現在設定されている音量が、制限範囲を超えている場合には、自動的に制限範囲内の音量に抑えられることになる。この場合、制限される前に設定されていた音量を保持しておき、制限が解除された場合に、制限前の音量に自動設定されるようにすることが可能である。
【００２８】
また、上記ステップＳ１３で音量が制限されていないと判断された場合（ＹＥＳ）、制御部２２は、ステップＳ１５で、操作部１４による音量調整操作に対応した音量となるように増幅部２１の利得を制御し、処理を終了（ステップＳ６）する。これにより、音量制限を受けていた場合には、制限を受ける前の音量に自動的に戻される。
【００２９】
上記した実施の形態によれば、施設からの放送信号に含まれる制限情報に基づいて、映像や音声の再生を自動的に制限するようにしたので、施設毎に異なる種々の再生条件に自動的に対応して情報再生を行なうことが可能となり、ユーザにとっての使い勝手をより一層向上させることが可能となる。
【００３０】
また、施設から離れて放送信号を受信できなくなれば、自動的に再生制限が解除されるため、このような点でも、ユーザにとっての使い勝手をより一層向上させることが可能となる。
【００３１】
なお、映像表示が許可され、スピーカ１５による音声再生が禁止されている場合、受信した放送信号に文字情報が含まれている場合には、表示部１３に文字テロップを表示させることを可能としている。
【００３２】
また、上記した音量制限については、制限情報に音量の上限値を設定しておけば、音量調整操作を行なっても、音量を制限情報に設定された上下値以下に留めることが可能となる。
【００３３】
さらに、制限情報にその内容を示すメッセージを表示させるための映像信号が含まれていれば、そのメッセージを放送信号から得られた映像信号に重ね合わせて表示部１３に映像表示させることができる。なお、制限情報の内容を示すメッセージに対応した映像信号を制御部２２が生成し、そのメッセージを放送信号から得られた映像信号に重ね合わせて表示部１３に映像表示させることもできる。
【００３４】
また、制限情報により映像表示とスピーカ１５による音声再生とが共に禁止されている場合、制限情報により映像表示と音声再生とが行なえない旨のメッセージを、表示部１３に表示させるようにすれば、ユーザが故障と間違えることを防止することができる。
【００３５】
さらに、制限情報の中に、その施設で推薦する放送チャンネルを示す情報が含まれている場合には、その放送チャンネルを自動的に選局して視聴することも可能である。なお、この場合には、推薦された放送チャンネルを選局する前に、表示部１３に推薦チャンネルがあることとそのチャンネル番号とを表示するようにして、ユーザに選局させるようにすることもできる。
【００３６】
また、制限情報として、施設内での放送受信装置１１の使用を禁止する情報が含まれている場合には、放送受信装置１１の電源をオフさせてしまうことも考えられる。
【００３７】
さらに、制限情報にその施設を特定する情報が含まれていれば、再生制限を受けて解除された回数をカウントすることにより、その施設を訪れた回数を記憶することができる。また、その施設を訪れた日時等も記憶することができる。このようにすれば、例えばある期間中に訪れた回数等に基づいて、その施設がユーザに提供するサービスを受けることが可能となる。
【００３８】
また、制限情報に時間情報を含ませておき、ある特定の時間帯だけ再生制限を行なうようにすることも可能である。さらに、時間帯毎に、内容の異なる再生制限を行なわせることも可能である。
【００３９】
次に、上記した実施の形態の変形例を説明する。すなわち、図５に示すように、建物２７の出入口２７ａに、図中矢印Ａ，Ｂで示す人の出入り方向に沿って、互いに異なる周数の信号を発振する２つの発振器２８，２９を設置する。この場合、発振器２８は出入口２７ａに近い位置、発振器２９は出入口２７ａから遠い位置に設置されるものとする。
【００４０】
そして、放送受信装置１１を持ったユーザが、矢印Ｂで示すように、出入口２７ａから建物２７の中に入ると、放送受信装置１１は、発振器２８の発振信号を受信し、その後、発振器２９の発振信号を受信することになる。
【００４１】
また、放送受信装置１１を持ったユーザが、矢印Ａで示すように、出入口２７ａから建物２７の外に出ると、放送受信装置１１は、発振器２９の発振信号を受信し、その後、発振器２８の発振信号を受信することになる。
【００４２】
この場合、発振器２８，２９の発振信号は、アンテナ２４で受信され、受信部２５を介して制限情報抽出部２６によりその周波数が判別され、その判別結果が制御部２２に供給される。このため、制御部２２は、現在いずれの発振器２８，２９の発振信号を受信しているかを判別することができる。
【００４３】
これにより、制御部２２は、発振器２８の発振信号を受信し、その後、発振器２９の発振信号を受信したことを判別した場合、建物２７の中に入ったものと判断して、その施設内で放送される制限情報による再生制限を受けるように動作する。
【００４４】
図６は、建物２７の中に入ったことを判断して再生制限を受ける動作をまとめたフローチャートを示している。すなわち、処理が開始（ステップＳ１６）されると、制御部２２は、ステップＳ１７で、発振器２８からの発振信号を受信したか否かを判別し、受信していないと判断された場合（ＮＯ）、処理を終了（ステップＳ２０）する。
【００４５】
また、発振器２８の発振信号を受信したと判断された場合（ＹＥＳ）、制御部２２は、ステップＳ１８で、発振器２９からの発振信号を受信したか否かを判別し、受信していないと判断された場合（ＮＯ）、処理を終了（ステップＳ２０）する。
【００４６】
一方、上記ステップＳ１８で発振器２９の発振信号を受信したと判断された場合（ＹＥＳ）、制御部２２は、ステップＳ１９で、その施設における再生制限を開始して、処理を終了（ステップＳ２０）する。
【００４７】
また、制御部２２は、発振器２９の発振信号を受信し、その後、発振器２８の発振信号を受信したことを判別した場合、建物２７から外に出たものと判断して、その施設内で送信される制限情報による再生制限を解除するように動作する。
【００４８】
図７は、建物２７から外に出たことを判断して再生制限を解除する動作をまとめたフローチャートを示している。すなわち、処理が開始（ステップＳ２１）されると、制御部２２は、ステップＳ２２で、発振器２９からの発振信号を受信したか否かを判別し、受信していないと判断された場合（ＮＯ）、処理を終了（ステップＳ２５）する。
【００４９】
また、発振器２９の発振信号を受信したと判断された場合（ＹＥＳ）、制御部２２は、ステップＳ２３で、発振器２８からの発振信号を受信したか否かを判別し、受信していないと判断された場合（ＮＯ）、処理を終了（ステップＳ２５）する。
【００５０】
一方、上記ステップＳ２３で発振器２８の発振信号を受信したと判断された場合（ＹＥＳ）、制御部２２は、ステップＳ２４で、その施設における再生制限を解除して、処理を終了（ステップＳ２５）する。
【００５１】
上記のような動作によれば、建物２７の中に入ったことを検出して、その施設内での再生制限を実行し、建物２７から外に出たことを検出して再生制限を解除するようにしたので、確実な再生制限を行なうことが可能となる。例えば、建物２７の外にいながら、漏れ出た制限情報を受信して、再生制限されてしまうといった誤動作を防止することが可能となる。
【００５２】
図８は、上記した実施の形態の他の変形例を示している。図８において、図６と同一ステップに同一符号を付して説明すると、ステップＳ１９で再生制限が開始された後、制御部２２は、ステップＳ２６で、一定の時間が経過したか否かを判別し、経過したと判断された場合（ＹＥＳ）、ステップＳ２７で、再生制限を解除して、処理を終了（ステップＳ２０）する。これにより、建物２７の中に入ってから、一定時間だけ再生制限を行なうことが可能となる。
【００５３】
また、上記した実施の形態では、放送受信装置１１について説明したが、これに限らず、携帯電話や記録再生機器等に広く適用することができる。
【００５４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５５】
【図１】この発明の実施の形態を示すもので、放送受信装置の外観を説明するために示す斜視図。
【図２】同実施の形態における放送受信装置の信号処理系を説明するために示すブロック構成図。
【図３】同実施の形態における放送受信装置の主要な動作の一部を説明するために示すフローチャート。
【図４】同実施の形態における放送受信装置の主要な動作の残部を説明するために示すフローチャート。
【図５】同実施の形態における変形例を説明するために示す図。
【図６】同実施の形態における変形例の主要な動作の一部を説明するために示すフローチャート。
【図７】同実施の形態における変形例の主要な動作の残部を説明するために示すフローチャート。
【図８】同実施の形態における他の変形例の動作を説明するために示すフローチャート。
【符号の説明】
【００５６】
１１…放送受信装置、１２…筐体、１３…表示部、１４…操作部、１５…スピーカ、１６…コネクタ、１７…アンテナ、１８…チューナ部、１９…映像音声処理部、２０…表示制御部、２１…増幅部、２２…制御部、２３…メモリ部、２４…アンテナ、２５…受信部、２６…制限情報抽出部、２７…建物、２８，２９…発振器。
【図１】
2006019982.tif 000003
【図２】
2006019982.tif 000004
【図３】
2006019982.tif 000005
【図４】
2006019982.tif 000006
【図５】
2006019982.tif 000007
【図６】
2006019982.tif 000008
【図７】
2006019982.tif 000009
【図８】
2006019982.tif 000010